(57)【特許請求の範囲】
【請求項１】
表示画面を有する表示部と、
前記表示画面に対するタッチ操作を検出するタッチパネル部と、
前記表示部を制御する制御部であって、
画像データに基づいて前記表示画面に画像を表示させる第１画像表示制御部と、
前記第１画像表示制御部によって前記表示画面に画像が表示されている場合において、前記表示画面上をスライド移動するタッチ操作が前記タッチパネル部によって検出されたときに、前記第１画像表示制御部によって表示されている画像を消去させる画像消去制御部と、
前記画像消去制御部によって画像が消去されたときに、前記スライド移動するタッチ操作の始点と終点とを通る、前記表示画面を２分割する仮想的な直線を設定し、該仮想的な直線における傾斜に基づいて２つの矩形領域を設定し、該２つの矩形領域のそれぞれに、前記画像データに基づいて画像を表示させる第２画像表示制御部とを含む制御部とを備えることを特徴とする表示システム。
【請求項２】
前記表示画面は矩形状であり、
前記第２画像表示制御部は、前記仮想的な直線と、前記表示画面における、該仮想的な直線とは傾斜方向が逆の対角線との交点から、前記２つの矩形領域を設定し、該２つの矩形領域のそれぞれに前記画像を表示させることを特徴とする請求項１に記載の表示システム。
【請求項３】
前記第２画像表示制御部は、前記表示画面に画像を表示させている場合において、画像の端部に対するタッチ操作が前記タッチパネル部によって検出されたときに、表示させている画像を消去させ、前記第１画像表示制御部によって画像を表示させることを特徴とする請求項１または２に記載の表示システム。
【請求項４】
タッチパネル部および表示部を備えるコンピュータを、請求項１〜３のいずれか１つに記載の表示システムとして機能させることを特徴とする表示プログラム。
【発明の詳細な説明】
【技術分野】
【０００１】
本発明は、表示システムおよび表示プログラムに関する。
【背景技術】
【０００２】
タッチパネルとディスプレイとを含む表示システムの分野では、ディスプレイの表示画面を水平かつ鉛直方向上向きになるように設置することで、そのディスプレイを会議机として使用することが提案されている。このように使用する場合、たとえば、ディスプレイの表示画面には会議資料が表示され、ディスプレイの周囲に会議参加者が着席することになる。
【０００３】
特許文献１には、会議机として使用される矩形状のディスプレイの周囲に位置センサを設け、その位置センサによって、会議参加者の位置および数を検出することが記載されている。特許文献１に記載の表示システムは、位置センサによって検出された会議参加者の位置および数に応じて、表示画面を複数のサブエリアに分割し、各会議参加者の見る方向に合わせて、各サブエリアに会議資料を表示させている。
【先行技術文献】
【特許文献】
【０００４】
【特許文献１】特開２００８−２６９０４４号公報
【発明の概要】
【発明が解決しようとする課題】
【０００５】
特許文献１に記載の表示システムでは、会議参加者の位置に応じて表示画面が分割される。したがって、任意に表示画面を分割することはできない。任意に表示画面を分割する方法として、表示画面の一端から他端まで直線を引き、その直線によって表示画面を分割することが考えられるが、会議机として使用されるような大きなディスプレイにおいて、表示画面の一端から他端まで直線を引くのは容易ではない。
【０００６】
本発明は、このような課題を解決するためのものであり、表示画面を任意かつ容易に分割し、分割された表示画面のそれぞれに画像を表示することができる表示システムおよび表示プログラムを提供することを目的とする。
【課題を解決するための手段】
【０００７】
本発明は、表示画面を有する表示部と、
前記表示画面に対するタッチ操作を検出するタッチパネル部と、
前記表示部を制御する制御部であって、
画像データに基づいて前記表示画面に画像を表示させる第１画像表示制御部と、
前記第１画像表示制御部によって前記表示画面に画像が表示されている場合において、前記表示画面上をスライド移動するタッチ操作が前記タッチパネル部によって検出されたときに、前記第１画像表示制御部によって表示されている画像を消去させる画像消去制御部と、
前記画像消去制御部によって画像が消去されたときに、前記スライド移動するタッチ操作の始点と終点とを通る、前記表示画面を２分割する仮想的な直線を設定し、該仮想的な直線における傾斜に基づいて２つの矩形領域を設定し、該２つの矩形領域のそれぞれに、前記画像データに基づいて画像を表示させる第２画像表示制御部とを含む制御部とを備えることを特徴とする表示システムである。
【０００８】
また本発明は、前記表示画面は矩形状であり、
前記第２画像表示制御部は、前記仮想的な直線と、前記表示画面における、該仮想的な直線とは傾斜方向が逆の対角線との交点から、前記２つの矩形領域を設定し、該２つの矩形領域のそれぞれに前記画像を表示させることを特徴とする。
【０００９】
また本発明は、前記第２画像表示制御部は、前記表示画面に画像を表示させている場合において、画像の端部に対するタッチ操作が前記タッチパネル部によって検出されたときに、表示させている画像を消去させ、前記第１画像表示制御部によって画像を表示させることを特徴とする。
【００１０】
また本発明は、タッチパネル部および表示部を備えるコンピュータを、前記表示システムとして機能させることを特徴とする表示プログラムである。
【発明の効果】
【００１１】
本発明によれば、第２画像表示制御部によって、タッチ操作の始点および終点から設定した仮想的な直線の傾斜に基づいて２つの矩形領域が設定されるので、表示画面を任意かつ容易に分割することができる。そして、第２画像表示制御部によって、設定された２つの矩形領域のそれぞれに画像を表示することができる。
【００１２】
また本発明によれば、第２画像表示制御部によって、タッチ操作の始点および終点から設定した仮想的な直線と、矩形状の表示画面における、仮想的な直線とは傾斜方向が逆の対角線との交点に基づいて、表示画面を２分割して表示する領域の大きさを決定するので、タッチ操作によって、各画像の大きさを容易に決定することができる。
【００１３】
また本発明によれば、表示画面に表示されている画像の端部に対するタッチ操作を行うことで、表示画面が分割されている状態を解除することができる。
【００１４】
また本発明によれば、タッチパネル部および表示部を備えるコンピュータを、前記表示システムとして機能させることができる。
【図面の簡単な説明】
【００１５】
【図１】表示システム１の外観を示す模式図である。
【図２】表示システム１の構成を示すブロック図である。
【図３】第１の分割表示機能について説明するための図である。
【図４】矩形の領域の辺部について説明するための図である。
【図５】第２の分割表示機能について説明するための図である。
【図６】第２画像表示制御部１３３による追加表示について説明するための図である。
【図７】第２画像表示制御部１３３による新たな基準方向の設定について説明するための図である。
【図８】第１画像表示制御部１３１によって画像が表示されている場合の表示システム１の動作を示すフローチャートである。
【図９】第２画像表示制御部１３３の第１の分割表示機能のみによって画像が表示されている場合の表示システム１の動作を示すフローチャートである。
【図１０】第２画像表示制御部１３３の第２の分割表示機能のみによって画像が表示されている場合の表示システム１の動作を示すフローチャートである。
【図１１】第２画像表示制御部１３３の第１の分割表示機能および第２の分割表示機能によって画像が表示されている場合の表示システム１の動作を示すフローチャートである。
【発明を実施するための形態】
【００１６】
以下に、本発明の実施形態の１つである表示システム１について説明する。図１は、表示システム１の外観を示す模式図である。表示システム１は、たとえば、縦３００ｃｍ、横４５０ｃｍ程度の矩形状の表示画面１１１を有する。表示システム１は、表示画面１１１が水平かつ鉛直方向上向きとなるように設けられる電子会議机であり、表示画面１１１に表示されるアイコンにタッチ操作が行われたときにそのアイコンに対応するウィンドウを表示画面１１１に表示したり、描画可能な領域にタッチ操作が行われたときにそのタッチ操作に対応する図形を表示画面１１１に表示したりする。
【００１７】
ここで、タッチ操作とは、表示画面１１１への接触が開始してから接触が終了するまでの、表示画面１１１に対する一連の操作である。たとえば、ユーザが、手指やタッチペンなどで表示画面１１１に接触し、接触箇所を動かさずに、手指やタッチペンなどを表示画面１１１から離すという一連の操作を行うとき、この操作は表示画面１１１に対する点状の操作である。また、たとえば、ユーザが、手指やタッチペンなどで表示画面１１１に接触し、接触箇所を移動させ、手指やタッチペンなどを表示画面１１１から離すという一連の操作を行うとき、この操作は表示画面１１１に対するスライド操作である。
【００１８】
上記のような電子会議机として用いることができる公知のシステムとしては、従来公知のＰＣと、タッチパネル一体型ディスプレイＰＮ−Ｌ６００Ｂ（シャープ株式会社製）などの表示装置とから構成されるシステムを挙げることができる。本実施形態としては、このようなシステムに、後述する各部１３１〜１３３の機能を発揮させるためのプログラムである表示プログラムを記憶させたものを用いることができる。なお、本発明の他の実施形態としては、上記表示装置に、後述する各部１３１〜１３３の機能をそれぞれ発揮するＩＣ（Integrated Circuit）チップを設けてもよい。
【００１９】
図２は、表示システム１の構成を示すブロック図である。表示システム１は、図１および図２に示す表示部１１およびタッチパネル部１２と、図２に示す制御部１３とを備える。
【００２０】
表示部１１は、たとえば、液晶ディスプレイ、ＥＬ（ElectroLuminescence）ディスプレイ、プラズマディスプレイなどである。表示部１１は、制御部１３によって制御されることで、矩形状の表示画面１１１に画像を表示する。
【００２１】
タッチパネル部１２は、投影型静電容量方式タッチパネル、抵抗膜方式タッチパネル、赤外線遮断検出方式タッチパネルなどから構成される。タッチパネル部１２は、表示画面１１１に対するタッチ操作を検出し、そのタッチ操作を行った対象の位置、すなわちタッチ位置に関する情報を取得し、制御部１３へ出力する。
【００２２】
制御部１３は、たとえばＰＣや表示部１１内に設けられる制御装置であり、ＣＰＵ（Central Processing Unit）などの制御演算回路と、ＤＤＲ  ＳＤＲＡＭ（Double Data Rate Synchronous Dynamic Random Access Memory）などの揮発性メモリ、および、フラッシュＲＯＭ（Read Only Memory）、ＥＥＰＲＯＭ（登録商標）、ＨＤＤ（Hard Disk Drive）などの不揮発性メモリを含む記憶回路とを含む。制御部１３の記憶回路には、本発明に係る表示プログラムが記憶され、これによって、制御部１３は、第１画像表示制御部１３１、画像消去制御部１３２、および第２画像表示制御部１３３の機能を発揮する。
【００２３】
第１画像表示制御部１３１は、任意の画像データに基づいて、表示画面１１１に画像を表示させる。より具体的には、第１画像表示制御部１３１は、表示画面１１１における所定の基準方向に、画像の上部分から下部分へ向かう方向が一致するように、任意の画像データに基づいて表示画面１１１に画像を表示させる。本実施形態では、第１画像表示制御部１３１は、任意の画像データに基づいて、アスペクト比を変えない範囲内の最大の大きさで、表示画面１１１の中央に画像を表示させる。また、所定の基準方向は、たとえば、矩形状の表示画面１１１の短辺に平行な一方向である。
【００２４】
画像消去制御部１３２は、第１画像表示制御部１３１によって表示画面１１１に画像が表示されている場合において、表示画面１１１上をスライド移動するタッチ操作（スライド操作）がタッチパネル部１２によって検出されたときに、第１画像表示制御部１３１によって表示されている画像を消去させる。
【００２５】
第２画像表示制御部１３３は、画像消去制御部１３２によって画像が消去されたときに、消去の前に第１画像表示制御部１３１が用いていた画像データに基づいて、表示画面１１１に画像を複数表示させる。より具体的には、第２画像表示制御部１３３は、画像消去制御部１３２によって画像が消去されたときに、スライド操作の始点と終点とから、表示画面１１１を２分割する仮想的な直線を設定し、その仮想的な直線によって２分割される表示画面１１１のそれぞれに、消去の前に第１画像表示制御部１３１が用いていた画像データに基づいて画像を表示させる。このような第２画像表示制御部１３３の機能を、以下において「第１の分割表示機能」と称する。
【００２６】
ここで、スライド操作の始点と終点とから設定される仮想的な直線とは、始点および終点を通る直線である。ただし、基準方向および基準方向に垂直な方向を座標軸とする２次元座標系において、始点および終点を通る直線といずれか一方の座標軸とがなす角度が、所定の角度未満、たとえば５°未満である場合には、その座標軸に平行かつ始点および終点を通る線分の中点を通る直線が仮想的な直線として設定される。仮想的な直線によって２分割される表示画面１１１の一方（または他方）に表示される画像は、その画像の上部分から下部分へ向かう方向が、基準方向に一致するように表示される。
【００２７】
仮想的な直線によって２分割される表示画面１１１のそれぞれに表示される各画像の大きさは、仮想的な直線と、矩形状の表示画面１１１の２つの対角線のうち、基準方向および基準方向に垂直な方向を座標軸とする２次元座標系においてその仮想的な直線とは傾斜方向が逆の対角線との交点から決定される。より具体的には、仮想的な直線によって２分割される表示画面１１１の一方に表示される画像の大きさは、仮想的な直線と、矩形状の表示画面１１１の２つの対角線のうち、基準方向および基準方向に垂直な方向を座標軸とする２次元座標系においてその仮想的な直線とは傾斜方向が逆の対角線との交点と、仮想的な直線によって２分割される表示画面１１１の一方側に含まれる矩形状の表示画面１１１の頂点のうち、前記傾斜方向が逆の対角線が通る頂点とを通る矩形（一方側内接矩形）内にアスペクト比を変えない範囲内で入ることができる最大の大きさである。また、仮想的な直線によって２分割される表示画面１１１の他方に表示される画像の大きさは、仮想的な直線と、矩形状の表示画面１１１の２つの対角線のうち、基準方向および基準方向に垂直な方向を座標軸とする２次元座標系においてその仮想的な直線とは傾斜方向が逆の対角線との交点と、仮想的な直線によって２分割される表示画面１１１の他方側に含まれる矩形状の表示画面１１１の頂点のうち、前記傾斜方向が逆の対角線が通る頂点とを通る矩形（他方側内接矩形）内にアスペクト比を変えない範囲内で入ることができる最大の大きさである。
【００２８】
仮想的な直線によって２分割される表示画面１１１の一方（または他方）に表示される画像は、一方（または他方）側内接矩形の中心と、画像の中心とが一致するように表示される。
【００２９】
なお、仮想的な直線が、基準方向および基準方向に垂直な方向を座標軸とする２次元座標系の座標軸に平行に延びる場合、その仮想的な直線によって２分割される表示画面１１１の一方に表示される画像の大きさは、仮想的な直線と、矩形状の表示画面１１１の２つの対角線のうちのいずれか一方の対角線との交点と、仮想的な直線によって２分割される表示画面１１１の一方側に含まれる矩形状の表示画面１１１の頂点のうち、前記一方の対角線が通る頂点とを通る矩形（一方側矩形）内にアスペクト比を変えない範囲内で入ることができる最大の大きさである。また、仮想的な直線が、基準方向および基準方向に垂直な方向を座標軸とする２次元座標系の座標軸に平行に延びる場合、その仮想的な直線によって２分割される表示画面１１１の他方に表示される画像の大きさは、仮想的な直線と、矩形状の表示画面１１１の２つの対角線のうちのいずれか一方の対角線との交点と、仮想的な直線によって２分割される表示画面１１１の他方側に含まれる矩形状の表示画面１１１の頂点のうち、前記一方の対角線が通る頂点とを通る矩形（他方側矩形）内にアスペクト比を変えない範囲内で入ることができる最大の大きさである。
【００３０】
そして、仮想的な直線が、基準方向および基準方向に垂直な方向を座標軸とする２次元座標系の座標軸に平行に延びる場合、仮想的な直線によって２分割される表示画面１１１の一方（または他方）に表示される画像は、一方（または他方）側矩形と同一の形状で、かつ、仮想的な直線の延びる方向において、その中心が表示画面１１１の中心と一致する矩形の中心と、画像の中心とが一致するように表示される。
【００３１】
このような第１の分割表示機能について、図３を用いて、より詳細に説明する。たとえば、スライド操作が行われる前に、図３（ａ）のように、表示画面１１１に画像Ｇ１が表示されていたとする。図３において、矢符Ｔ０は基準方向を示す。図３（ａ）の状態において、図３（ｂ）に示すように、表示画面１１１上でスライド操作Ｋ１が行われた場合、第２画像表示制御部１３３は、そのスライド操作Ｋ１の始点Ｐ１および終点Ｐ２を通る仮想的な直線Ｌ１を、矩形状の表示画面１１１を２分割するための仮想的な直線に設定し、その仮想的な直線Ｌ１と表示画面１１１の対角線Ｌ２との交点Ｐ３を算出する。そして、第２画像表示制御部１３３は、図３（ｃ）に示すように、仮想的な直線Ｌ１で２分割された表示画面１１１の一方領域Ｑ１において、交点Ｐ３と対角線Ｌ２を通る頂点Ｐ４とを通る一方側内接矩形Ｒ１を設定し、その一方側内接矩形Ｒ１内に画像Ｇ２を表示させる。また、第２画像表示制御部１３３は、図３（ｃ）に示すように、仮想的な直線Ｌ１で２分割された表示画面１１１の他方領域Ｑ２において、交点Ｐ３と対角線Ｌ２を通る頂点Ｐ５とを通る他方側内接矩形Ｒ２を設定し、その他方側内接矩形Ｒ２内に画像Ｇ３を表示させる。
【００３２】
また、たとえば、スライド操作が行われる前に、図３（ａ）のように画像Ｇ１が表示されていたとする。図３（ａ）の状態において、図３（ｄ）に示すように、表示画面１１１上でスライド操作Ｋ２が行われた場合、第２画像表示制御部１３３は、そのスライド操作Ｋ２の始点Ｐ６および終点Ｐ７を通る線分の中点Ｐ８を通り、基準方向Ｔ０に平行な仮想的な直線Ｌ３を、矩形状の表示画面１１１を２分割するための仮想的な直線に設定し、その仮想的な直線Ｌ３と表示画面１１１の対角線Ｌ４との交点Ｐ９を算出する。そして、第２画像表示制御部１３３は、図３（ｅ）に示すように、仮想的な直線Ｌ３で２分割された表示画面１１１の一方領域Ｑ３において、交点Ｐ９と対角線Ｌ４を通る頂点Ｐ１０とを通る一方側矩形Ｒ３を設定し、その一方側矩形Ｒ３と同一形状の矩形Ｒ４であって、仮想的な直線Ｌ３の延びる方向において矩形Ｒ４の中心が表示画面１１１の中心と一致する矩形Ｒ４を設定し、その矩形Ｒ４内に画像Ｇ４を表示させる。また、第２画像表示制御部１３３は、図３（ｅ）に示すように、仮想的な直線Ｌ３で２分割された表示画面１１１の他方領域Ｑ４において、交点Ｐ９と対角線Ｌ４を通る頂点Ｐ１１とを通る他方側矩形Ｒ５を設定し、その他方側矩形Ｒ５と同一形状の矩形Ｒ６であって、仮想的な直線Ｌ３の延びる方向において矩形Ｒ６の中心が表示画面１１１の中心と一致する矩形Ｒ６を設定し、その矩形Ｒ６内に画像Ｇ５を表示させる。
【００３３】
第２画像表示制御部１３３は、第１の分割表示機能によって表示画面１１１に画像を表示させている場合において、その画像の端部に対するタッチ操作がタッチパネル部１２によって検出されたときに、すべての画像を消去させ、第１画像表示制御部１３１によって画像を表示させる。より具体的には、第２画像表示制御部１３３は、第１の分割表示機能によって表示画面１１１中に２つの画像を表示させている場合において、２つの画像のうちの一方の画像の辺であって、他方の画像の辺に最も近接する辺に対するタッチ操作、または、２つの画像のうちの他方の画像の辺であって、一方の画像の辺に最も近接する辺に対するタッチ操作がタッチパネル部１２によって検出されたときに、その２つの画像を消去させ、第１画像表示制御部１３１によって表示画面１１１に画像を表示させる。
【００３４】
第２画像表示制御部１３３による画像の消去について、図３を用いて、より詳細に説明する。たとえば、タッチ操作が行われる前に、図３（ｃ）のように、第１の分割表示機能によって画像Ｇ２，Ｇ３が表示されていたとする。図３（ｃ）の状態において、画像Ｇ２の辺ｈ１または辺ｈ２、もしくは、画像Ｇ３の辺ｈ３または辺ｈ４に対するタッチ操作が行われた場合、第２画像表示制御部１３３によって、図３（ａ）に示す状態となる。図３（ａ）では、第２画像表示制御部１３３の第１の分割表示機能によって表示されていた画像Ｇ２，Ｇ３が消去され、第１画像表示制御部１３１によって、画像Ｇ１が表示されている。
【００３５】
また、たとえば、タッチ操作が行われる前に、図３（ｅ）のように、第１の分割表示機能によって画像Ｇ４，Ｇ５が表示されていたとする。図３（ｅ）の状態において、画像Ｇ４の辺ｈ５、または、画像Ｇ５の辺ｈ６に対するタッチ操作が行われた場合、第２画像表示制御部１３３によって、図３（ａ）に示す状態となる。図３（ａ）では、第２画像表示制御部１３３の第１の分割表示機能によって表示されていた画像Ｇ４，Ｇ５が消去され、第１画像表示制御部１３１によって、画像Ｇ１が表示されている。
【００３６】
第１の分割表示機能で表示されている画像の消去を行うためのタッチ操作は、人の指によるタッチ操作であってもよいし、タッチペンによるタッチ操作であってもよいけれども、表示システム１用の黒板消しによる、後述する長押しタッチ操作以外のタッチ操作であることが好ましい。第２画像表示制御部１３３は、タッチされた箇所の面積が所定の閾値よりも大きい場合に、黒板消しによるタッチ操作であると判断する。第２画像表示制御部１３３は、たとえば、黒板消しによる、第１の分割表示機能で表示されている画像の辺の上をスライド移動するタッチ操作が行われた場合に、第１の分割表示機能で表示されている画像の消去を行う。
【００３７】
第２画像表示制御部１３３は、第１の分割表示機能によって画像が表示されている場合において、その画像が表示されている矩形の領域の辺部に対するタッチ操作がタッチパネル部１２によって検出されたときに、第２の分割表示機能によって画像を表示させることができる。より具体的には、第２画像表示制御部１３３は、第１の分割表示機能によって画像が表示されている場合において、その画像が表示されている矩形の領域の第１の辺部、第２の辺部、第３の辺部、または第４の辺部のうち、第２の辺部を除くいずれか１つに対して同じ箇所を数秒間タッチし続けるタッチ操作（長押しタッチ操作）がタッチパネル部１２によって検出されたときに、前記矩形の領域に表示されている画像を消去させ、その後、第２の分割表示機能によって画像を表示させる。
【００３８】
第２の分割表示機能による画像の表示の前に、辺部について説明する。辺部とは、第１の分割表示機能によって画像が表示される矩形の領域の、各辺の周囲の４つの領域である。第１の辺部は、基準方向とは反対の方向における前記矩形の領域の端部となる辺部であり、第２の辺部は、基準方向における前記矩形の領域の端部となる辺部である。第３の辺部および第４の辺部は、基準方向に垂直な方向における前記矩形の領域の端部となる辺部である。
【００３９】
矩形の領域の辺部について、図４を用いて、より詳細に説明する。図４では、第２画像表示制御部１３３の第１の分割表示機能によって、矩形の領域Ｒ７に画像Ｇ６が表示され、矩形の領域Ｒ８に画像Ｇ７が表示されている。図４において、矢符Ｔ０は基準方向を示す。
【００４０】
矩形の領域Ｒ７の第１の辺部Ｅ１は、矩形の領域Ｒ７の外周の一部を構成する辺ｅ１と、矩形の領域Ｒ７中の、辺ｅ１に平行かつ辺ｅ１よりも短い仮想的な線分ｆ１とを２辺とし、辺ｅ１の両端の角度が４５°となる等脚台形状の領域である。辺ｅ１と線分ｆ１との間の距離ｄ１は、たとえば、矩形の領域Ｒ７の幅方向長さの１％〜１０％である。矩形の領域Ｒ７の第２の辺部Ｅ２は、矩形の領域Ｒ７の外周の一部を構成する、辺ｅ１に平行な辺ｅ２と、矩形の領域Ｒ７中の、辺ｅ２に平行かつ辺ｅ２よりも短い仮想的な線分ｆ２とを２辺とし、辺ｅ２の両端の角度が４５°となる等脚台形状の領域である。辺ｅ２と線分ｆ２との間の距離ｄ１は、たとえば、矩形の領域Ｒ７の幅方向長さの１％〜１０％である。矩形の領域Ｒ７の第３の辺部Ｅ３は、矩形の領域Ｒ７の外周の一部を構成する、辺ｅ１に垂直な辺ｅ３と、矩形の領域Ｒ７中の、辺ｅ３に平行かつ辺ｅ３よりも短い仮想的な線分ｆ３とを２辺とし、辺ｅ３の両端の角度が４５°となる等脚台形状の領域である。辺ｅ３と線分ｆ３との間の距離ｄ１は、たとえば、矩形の領域Ｒ７の幅方向長さの１％〜１０％である。矩形の領域Ｒ７の第４の辺部Ｅ４は、矩形の領域Ｒ７の外周の一部を構成する、辺ｅ１に垂直な辺ｅ４と、矩形の領域Ｒ７中の、辺ｅ４に平行かつ辺ｅ４よりも短い仮想的な線分ｆ４とを２辺とし、辺ｅ４の両端の角度が４５°となる等脚台形状の領域である。辺ｅ４と線分ｆ４との間の距離ｄ１は、たとえば、矩形の領域Ｒ７の幅方向長さの１％〜１０％である。
【００４１】
また、矩形の領域Ｒ８の第１の辺部Ｅ５は、矩形の領域Ｒ８の外周を構成する辺ｅ５と、矩形の領域Ｒ８中の、辺ｅ５に平行かつ辺ｅ５よりも短い仮想的な線分ｆ５とを含み、辺ｅ５の両端の角度が４５°となる等脚台形状の領域である。辺ｅ５と線分ｆ５との間の距離ｄ２は、たとえば、矩形の領域Ｒ８の幅の１％〜１０％である。矩形の領域Ｒ８の第２の辺部Ｅ６は、矩形の領域Ｒ８の外周を構成する、辺ｅ５に平行な辺ｅ６と、矩形の領域Ｒ８中の、辺ｅ６に平行かつ辺ｅ６よりも短い仮想的な線分ｆ６とを含み、辺ｅ６の両端の角度が４５°となる等脚台形状の領域である。辺ｅ６と線分ｆ６との間の距離ｄ２は、たとえば、矩形の領域Ｒ８の幅の１％〜１０％である。矩形の領域Ｒ８の第３の辺部Ｅ７は、矩形の領域Ｒ８の外周を構成する、辺ｅ５に垂直な辺ｅ７と、矩形の領域Ｒ８中の、辺ｅ７に平行かつ辺ｅ７よりも短い仮想的な線分ｆ７とを含み、辺ｅ７の両端の角度が４５°となる等脚台形状の領域である。辺ｅ７と線分ｆ７との間の距離ｄ２は、たとえば、矩形の領域Ｒ８の幅の１％〜１０％である。矩形の領域Ｒ８の第４の辺部Ｅ８は、矩形の領域Ｒ８の外周を構成する、辺ｅ５に垂直な辺ｅ８と、矩形の領域Ｒ８中の、辺ｅ８に平行かつ辺ｅ８よりも短い仮想的な線分ｆ８とを含み、辺ｅ８の両端の角度が４５°となる等脚台形状の領域である。辺ｅ８と線分ｆ８との間の距離ｄ２は、たとえば、矩形の領域Ｒ８の幅の１％〜１０％である。
【００４２】
これらの辺部Ｅ１〜Ｅ８のうち、辺部Ｅ１，Ｅ３，Ｅ４のいずれか１つに対する長押しタッチ操作がタッチパネル部１２によって検出されたときに、第２画像表示制御部１３３は、矩形の領域Ｒ７に表示されている画像Ｇ６を消去させ、その後、第２の分割表示機能によって画像を表示させる。また、これらの辺部Ｅ１〜Ｅ８のうち、辺部Ｅ５，Ｅ７，Ｅ８のいずれか１つに対する長押しタッチ操作がタッチパネル部１２によって検出されたときに、第２画像表示制御部１３３は、矩形の領域Ｒ８に表示されている画像Ｇ７を消去させ、その後、第２の分割表示機能によって画像を表示させる。
【００４３】
第２画像表示制御部１３３は、第１の分割表示機能によって画像が表示されている矩形の領域の辺部に対する長押しタッチ操作に基づいてその画像を消去した後、基準方向に、画像の上部分から下部分へ向かう方向が一致するように、かつ前記矩形の領域の中心を通る仮想的な直線であって、第１の辺部に平行に延びる仮想的な直線よりも第２の辺部側に、第２の分割表示機能によって画像を表示させる。また、第２画像表示制御部１３３は、この画像を表示させるとともに、この画像に重ならないように、長押しタッチ操作が行われた辺部に平行な辺部から長押しタッチ操作が行われた辺部へ向かう方向に、画像の上部分から下部分へ向かう方向が一致するように、かつ、前記矩形の領域の中心を通る仮想的な直線であって、長押しタッチ操作が行われた辺部に平行に延びる仮想的な直線よりも長押しタッチ操作が行われた辺部側に、第２の分割表示機能によって画像を表示させる。ここで、辺部同士が平行とは、辺部に含まれる辺同士が平行であることをいう。
【００４４】
このような第２の分割表示機能について、図４および図５を用いて、より詳細に説明する。たとえば、長押しタッチ操作が行われる前に、図４のように画像Ｇ６，Ｇ７が表示されていたとする。図４の状態において、矩形の領域Ｒ７の第１の辺部Ｅ１に対する長押しタッチ操作が行われた場合、第２画像表示制御部１３３によって、矩形の領域Ｒ７に表示される画像Ｇ６は消去され、図５（ａ）に示すように、矩形の領域Ｒ７に、画像Ｇ８および画像Ｇ９が表示される。画像Ｇ８は、基準方向Ｔ０に、画像Ｇ８の上部分から下部分へ向かう方向が一致するように表示されており、かつ、矩形の領域Ｒ７の中心を通り、第１の辺部Ｅ１に平行に延びる仮想的な直線ｇ１よりも第２の辺部Ｅ２側に表示されている。また、画像Ｇ９は、長押しタッチ操作が行われた第１の辺部Ｅ１に平行な第２の辺部Ｅ２から長押しタッチ操作が行われた第１の辺部Ｅ１へ向かう方向に、画像Ｇ９の上部分から下部分へ向かう方向が一致するように表示されており、かつ、矩形の領域Ｒ７の中心を通り、長押しタッチ操作が行われた第１の辺部Ｅ１に平行に延びる仮想的な直線ｇ１よりも長押しタッチ操作が行われた第１の辺部Ｅ１側に表示されている。
【００４５】
また、図４の状態において、矩形の領域Ｒ７の第３の辺部Ｅ３に対する長押しタッチ操作が行われた場合、第２画像表示制御部１３３によって、矩形の領域Ｒ７に表示される画像Ｇ６は消去され、図５（ｂ）に示すように、矩形の領域Ｒ７に、画像Ｇ１０および画像Ｇ１１が表示される。画像Ｇ１０は、基準方向Ｔ０に、画像Ｇ１０の上部分から下部分へ向かう方向が一致するように表示されており、かつ、矩形の領域Ｒ７の中心を通り、第１の辺部Ｅ１に平行に延びる仮想的な直線ｇ２よりも第２の辺部Ｅ２側に表示されている。また、画像Ｇ１１は、長押しタッチ操作が行われた第３の辺部Ｅ３に平行な第４の辺部Ｅ４から長押しタッチ操作が行われた第３の辺部Ｅ３へ向かう方向に、画像Ｇ１１の上部分から下部分へ向かう方向が一致するように表示されており、かつ、矩形の領域Ｒ７の中心を通り、長押しタッチ操作が行われた第３の辺部Ｅ３に平行に延びる仮想的な直線ｇ３よりも長押しタッチ操作が行われた第３の辺部Ｅ３側に表示されている。
【００４６】
また、図４の状態において、矩形の領域Ｒ８の第４の辺部Ｅ８に対する長押しタッチ操作が行われた場合、第２画像表示制御部１３３によって、矩形の領域Ｒ８に表示される画像Ｇ７は消去され、図５（ｃ）に示すように、矩形の領域Ｒ８に、画像Ｇ１２および画像Ｇ１３が表示される。画像Ｇ１２は、基準方向Ｔ０に、画像Ｇ１２の上部分から下部分へ向かう方向が一致するように表示されており、かつ、矩形の領域Ｒ８の中心を通り、第１の辺部Ｅ１に平行に延びる仮想的な直線ｇ４よりも第２の辺部Ｅ２側に表示されている。また、画像Ｇ１３は、長押しタッチ操作が行われた第４の辺部Ｅ８に平行な第３の辺部Ｅ７から長押しタッチ操作が行われた第４の辺部Ｅ８へ向かう方向に、画像Ｇ１３の上部分から下部分へ向かう方向が一致するように表示されており、かつ、矩形の領域Ｒ８の中心を通り、長押しタッチ操作が行われた第４の辺部Ｅ８に平行に延びる仮想的な直線ｇ５よりも長押しタッチ操作が行われた第４の辺部Ｅ８側に表示されている。
【００４７】
図５に示すように、第２画像表示制御部１３３は、第２の分割表示機能によって画像を表示させるとき、各画像とともに、各辺部の外周を示す線を表示させる。この線が表示されることにより、辺部を目視で確認することが可能になる。
【００４８】
第２画像表示制御部１３３の第２の分割表示機能によって表示される各画像は、第１の分割表示機能によって表示される画像と同一のアスペクト比であり、各画像の大きさは同一である。また、各画像は、各画像が表示される側の辺部に含まれる辺に沿って表示され、かつ、この辺に平行な方向において、この辺の中心と、画像の中心とが一致するように表示される。たとえば、図５（ｂ）の画像Ｇ１１は、画像Ｇ１１が表示される側の辺部Ｅ３に含まれる辺ｅ３に沿って表示され、かつ、この辺ｅ３に平行な方向において、この辺ｅ３の中心と、画像Ｇ１１の中心とが一致するように表示されている。
【００４９】
上記のような条件を満たす範囲内で最大の大きさとなるように、第２画像表示制御部１３３は、第２の分割表示機能によって各画像を表示させる。したがって、図５（ａ）および図５（ｂ）に示すように、長押しタッチ操作が行われた辺部によって、第２画像表示制御部１３３の第２の分割表示機能により表示される画像の大きさが異なる場合がある。
【００５０】
第２画像表示制御部１３３は、第２の分割表示機能として、第２の分割表示機能によって画像が表示されている矩形の領域中に、画像を追加表示させることができる。より具体的には、第２画像表示制御部１３３は、第２の分割表示機能によって矩形の領域中に画像を表示させている場合において、その矩形の領域における、画像が表示されていない側の辺部に対する長押しタッチ操作がタッチパネル部１２によって検出されたときに、タッチパネル部１２によって検出された長押しタッチ操作が行われた辺部に平行な辺部からタッチパネル部１２によって検出された長押しタッチ操作が行われた辺部へ向かう方向に、画像の上部分から下部分へ向かう方向が一致するように、かつ、前記矩形の領域の中心を通る仮想的な直線であって、タッチパネル部１２によって検出された長押しタッチ操作が行われた辺部に平行に延びる仮想的な直線よりもタッチパネル部１２によって検出された長押しタッチ操作が行われた辺部側に、画像を追加表示させることができる。
【００５１】
第２画像表示制御部１３３による追加表示について、図６を用いて、より詳細に説明する。たとえば、長押しタッチ操作が行われる前に、図５（ｂ）のように画像Ｇ１０，Ｇ１１が表示されていたとする。図５（ｂ）の状態において、画像Ｇ１０，Ｇ１１が表示されている矩形の領域Ｒ７における画像が表示されていない側の辺部である第４の辺部Ｅ４に対する長押しタッチ操作が行われた場合、第２画像表示制御部１３３によって、図６（ａ）に示すような画像Ｇ１４、画像Ｇ１５、および画像Ｇ１６が表示される。画像Ｇ１４および画像Ｇ１５は、画像Ｇ１０および画像Ｇ１１と同一の画像である。画像Ｇ１６は、長押しタッチ操作が行われた第４の辺部Ｅ４に平行な第３の辺部Ｅ３から長押しタッチ操作が行われた第４の辺部Ｅ４へ向かう方向に、画像Ｇ１６の上部分から下部分へ向かう方向が一致するように表示されており、かつ、矩形の領域Ｒ７の中心を通り、長押しタッチ操作が行われた第４の辺部Ｅ４に平行に延びる仮想的な直線ｇ６よりも長押しタッチ操作が行われた第４の辺部Ｅ４側に表示されている。
【００５２】
また、たとえば、長押しタッチ操作が行われる前に、図６（ａ）のように画像Ｇ１４〜Ｇ１６が表示されていたとする。図６（ａ）の状態において、画像Ｇ１４〜Ｇ１６が表示されている矩形の領域Ｒ７における画像が表示されていない側の辺部である第１の辺部Ｅ１に対する長押しタッチ操作が行われた場合、第２画像表示制御部１３３によって、図６（ｂ）に示すような画像Ｇ１７、画像Ｇ１８、画像Ｇ１９、および画像Ｇ２０が表示される。画像Ｇ１７、画像Ｇ１８、および画像Ｇ１９は、画像Ｇ１４、画像Ｇ１５、および画像Ｇ１６と同一の画像である。画像Ｇ２０は、長押しタッチ操作が行われた第１の辺部Ｅ１に平行な第２の辺部Ｅ２から長押しタッチ操作が行われた第１の辺部Ｅ１へ向かう方向に、画像Ｇ２０の上部分から下部分へ向かう方向が一致するように表示されており、かつ、矩形の領域Ｒ７の中心を通り、長押しタッチ操作が行われた第１の辺部Ｅ１に平行に延びる仮想的な直線ｇ７よりも長押しタッチ操作が行われた第１の辺部Ｅ１側に表示されている。
【００５３】
なお、第２画像表示制御部１３３は、追加表示の際、矩形の領域に表示中の各画像の大きさを変更する必要がある場合には、一旦すべての画像を消去した後、各画像を表示させる。たとえば、長押しタッチ操作が行われる前に、図５（ａ）のように画像Ｇ８，Ｇ９が表示されていたとする。図５（ａ）の状態において、画像Ｇ８，Ｇ９が表示されている矩形の領域Ｒ７における画像が表示されていない側の辺部である第３の辺部Ｅ３に対する長押しタッチ操作が行われた場合、第２画像表示制御部１３３によって、図６（ｃ）に示すような画像Ｇ２１、画像Ｇ２２、および画像Ｇ２３が表示される。画像Ｇ２３は、長押しタッチ操作が行われた第３の辺部Ｅ３に平行な第４の辺部Ｅ４から長押しタッチ操作が行われた第３の辺部Ｅ３へ向かう方向に、画像Ｇ２３の上部分から下部分へ向かう方向が一致するように表示されており、かつ、矩形の領域Ｒ７の中心を通り、長押しタッチ操作が行われた第３の辺部Ｅ３に平行に延びる仮想的な直線ｇ８よりも長押しタッチ操作が行われた第３の辺部Ｅ３側に表示されている。画像Ｇ２１および画像Ｇ２２は、それぞれ、画像Ｇ８および画像Ｇ９に対応し、画像Ｇ８および画像Ｇ９よりも小さい画像であり、画像Ｇ８および画像Ｇ９の消去後に表示される。
【００５４】
第２画像表示制御部１３３は、第２の分割表示機能によって矩形の領域に画像を表示させている場合において、その矩形の領域における画像が表示されている側の辺部に対する長押しタッチ操作がタッチパネル部１２によって検出されたときに、タッチパネル部１２によって検出された長押しタッチ操作が行われた辺部側に表示されている画像を消去させる。より具体的には、第２画像表示制御部１３３は、第２の分割表示機能によって矩形の領域に画像を表示させている場合において、その矩形の領域における画像が表示されている側の辺部のうち、その画像が表示されている部分と重ならない部分に対する長押しタッチ操作がタッチパネル部１２によって検出されたときに、タッチパネル部１２によって検出された長押しタッチ操作が行われた辺部側に表示されている画像を消去させる。
【００５５】
第２画像表示制御部１３３による、第２の分割表示機能で表示されていた画像の消去について、図５および図６を用いて、より詳細に説明する。たとえば、長押しタッチ操作が行われる前に、図６（ａ）のように画像Ｇ１４〜Ｇ１６が表示されていたとする。図６（ａ）の状態において、矩形の領域Ｒ７における画像が表示されている側の辺部である第４の辺部Ｅ４のうち、画像Ｇ１６と重ならない部分に対する長押しタッチ操作が行われた場合、第２画像表示制御部１３３によって、図５（ｂ）に示す状態となる。図５（ｂ）では、画像Ｇ１６が消去され、画像Ｇ１０および画像Ｇ１１が表示されている。画像Ｇ１０および画像Ｇ１１は、画像Ｇ１４および画像Ｇ１５と同一の画像である。
【００５６】
また、たとえば、長押しタッチ操作が行われる前に、図６（ｂ）のように画像Ｇ１７〜Ｇ２０が表示されていたとする。図６（ｂ）の状態において、矩形の領域Ｒ７における画像が表示されている側の辺部である第４の辺部Ｅ４のうち、画像Ｇ１９と重ならない部分に対する長押しタッチ操作が行われた場合、第２画像表示制御部１３３によって、図６（ｃ）に示す状態となる。図６（ｃ）では、画像Ｇ１９が消去され、画像Ｇ２１、画像Ｇ２２、および画像Ｇ２３が表示されている。画像Ｇ２１、画像Ｇ２２、および画像Ｇ２３は、画像Ｇ１７、画像Ｇ２０、および画像Ｇ１８と同一の画像である。
【００５７】
なお、第２画像表示制御部１３３は、画像の消去の際、矩形の領域に表示中の各画像の大きさを変更する必要がある場合には、一旦すべての画像を消去した後、各画像を表示させる。たとえば、長押しタッチ操作が行われる前に、図６（ｃ）のように画像Ｇ２１〜Ｇ２３が表示されていたとする。図６（ｃ）の状態において、矩形の領域Ｒ７における画像が表示されている側の辺部である第３の辺部Ｅ３に対する長押しタッチ操作が行われた場合、第２画像表示制御部１３３によって、図５（ａ）に示す状態となる。図５（ａ）では、画像Ｇ２３が消去され、画像Ｇ８および画像Ｇ９が表示されている。画像Ｇ８および画像Ｇ９は、それぞれ、画像Ｇ２１および画像Ｇ２２に対応し、画像Ｇ２１および画像Ｇ２２よりも大きい画像であり、画像Ｇ２１および画像Ｇ２２の消去後に表示される。
【００５８】
第２画像表示制御部１３３は、第２の分割表示機能によって１つの矩形の領域に表示中の画像が２つである状態において、その矩形の領域における画像が表示されている側の辺部に対する長押しタッチ操作によって上記のように画像を消去する場合、その矩形の領域に表示されているすべての画像を消去させ、第１の分割表示機能によってその矩形の領域に画像を表示させる。より具体的には、第２画像表示制御部１３３は、第２の分割表示機能によって１つの矩形の領域に表示中の画像が２つである状態において、その矩形の領域における画像が表示されている側の辺部に対する長押しタッチ操作によって上記のように画像を消去する場合、その矩形の領域に画像が表示されている側の２つの辺部のうち、長押しタッチ操作が行われなかった方の辺部に平行な辺部から、その矩形の領域に画像が表示されている側の２つの辺部のうち、長押しタッチ操作が行われなかった方の辺部へ向かう方向を、その矩形の領域についての新たな基準方向に設定し、その矩形の領域に表示されているすべての画像を消去させ、その新たな基準方向に従って第１の分割表示機能によってその矩形の領域に画像を表示させる。
【００５９】
第２画像表示制御部１３３による新たな基準方向の設定について、図５および図７を用いて、より詳細に説明する。たとえば、長押しタッチ操作が行われる前に、図５（ａ）のように画像Ｇ８，Ｇ９が表示されていたとする。図５（ａ）の状態において、矩形の領域Ｒ７における画像が表示されている側の辺部である第２の辺部Ｅ２のうち、画像Ｇ８と重ならない部分に対する長押しタッチ操作が行われた場合、第２画像表示制御部１３３によって、図７（ａ）に示す矢符Ｔ１の方向が新たな基準方向に設定される。この新たな基準方向Ｔ１は、画像が表示されている側の辺部である辺部Ｅ１，Ｅ２のうちの長押しタッチ操作が行われなかった辺部である辺部Ｅ１に平行な辺部Ｅ２から、画像が表示されている側の辺部である辺部Ｅ１，Ｅ２のうちの長押しタッチ操作が行われなかった辺部である辺部Ｅ１へ向かう方向であり、矩形の領域Ｒ７のみに適用される。第２画像表示制御部１３３は、画像Ｇ８およびＧ９を消去し、図７（ａ）に示すように、新たな基準方向Ｔ１に従って、第１の分割表示機能によって画像Ｇ２４を表示させる。なお、第２画像表示制御部１３３は、矩形の領域Ｒ８については、元の基準方向Ｔ０に従って、第１の分割表示機能によって画像Ｇ７を表示させている。
【００６０】
また、たとえば、長押しタッチ操作が行われる前に、図５（ｂ）のように画像Ｇ１０，Ｇ１１が表示されていたとする。図５（ｂ）の状態において、矩形の領域Ｒ７における画像が表示されている側の辺部である第２の辺部Ｅ２のうち、画像Ｇ１０と重ならない部分に対する長押しタッチ操作が行われた場合、第２画像表示制御部１３３によって、図７（ｂ）に示す矢符Ｔ２の方向が新たな基準方向に設定される。この新たな基準方向Ｔ２は、画像が表示されている側の辺部である辺部Ｅ２，Ｅ３のうちの長押しタッチ操作が行われなかった辺部である辺部Ｅ３に平行な辺部Ｅ４から、画像が表示されている側の辺部である辺部Ｅ２，Ｅ３のうちの長押しタッチ操作が行われなかった辺部である辺部Ｅ３へ向かう方向であり、矩形の領域Ｒ７のみに適用される。第２画像表示制御部１３３は、画像Ｇ１０およびＧ１１を消去し、図７（ｂ）に示すように、新たな基準方向Ｔ２に従って、第１の分割表示機能によって画像Ｇ２５を表示させる。なお、第２画像表示制御部１３３は、矩形の領域Ｒ８については、元の基準方向Ｔ０に従って、第１の分割表示機能によって画像Ｇ７を表示させている。
【００６１】
矩形の領域に適用される新たな基準方向は、第２画像表示制御部１３３による画像の表示が終了するか、または、その矩形の領域について、再度、新たな基準方向が設定されるまで有効である。図７（ａ）や図７（ｂ）の場合のように、新たな基準方向が、元の基準方向と異なる場合には、第２画像表示制御部１３３は、長押しタッチ操作が行われた辺部に、予め警告文を表示させてもよい。そして、警告文に対してタッチ操作が行われたときに、新たな基準方向の設定および画像の消去を行うようにしてもよい。
【００６２】
このように構成される表示システム１の動作を、図８〜図１１のフローチャートで示す。図８は、第１画像表示制御部１３１によって画像が表示されている場合に対応し、図９は、第２画像表示制御部１３３の第１の分割表示機能のみによって画像が表示されている場合に対応し、図１０は、第２画像表示制御部１３３の第２の分割表示機能のみによって画像が表示されている場合に対応し、図１１は、第２画像表示制御部１３３の第１の分割表示機能および第２の分割表示機能によって画像が表示されている場合に対応する。
【００６３】
図８に示すように、第１画像表示制御部１３１によって画像が表示されている場合に表示画面１１１に対するタッチ操作が行われると、ステップＡ１において、画像消去制御部１３２が、行われたタッチ操作がスライド操作であるか否かを判断する。スライド操作である場合にはステップＡ２へ進み、それ以外の場合には処理を終了する。
【００６４】
ステップＡ２では、画像消去制御部１３２が、第１画像表示制御部１３１によって表示されていた画像を消去し、第２画像表示制御部１３３が、第１の分割表示機能によって、スライド操作の始点および終点から表示画面１１１を２分割する仮想的な直線を設定し、その仮想的な直線によって２分割される表示画面１１１の各領域に、矩形の領域をそれぞれ設定し、各矩形の領域に画像を表示させ、その後、処理を終了する。
【００６５】
図９に示すように、第２画像表示制御部１３３の第１の分割表示機能のみによって画像が表示されている場合に表示画面１１１に対するタッチ操作が行われると、ステップＢ１において、第２画像表示制御部１３３が、行われたタッチ操作は第１の分割表示機能によって表示されている画像の端部に対する長押しタッチ操作以外のタッチ操作であるか否かを判断する。第１の分割表示機能によって表示されている画像の端部に対する長押しタッチ操作以外のタッチ操作である場合にはステップＢ２へ進み、それ以外の場合にはステップＢ３へ進む。ステップＢ２では、第２画像表示制御部１３３が、第１の分割表示機能によって表示させているすべての画像を消去させ、第１画像表示制御部１３１によって画像を表示させ、その後、処理を終了する。
【００６６】
ステップＢ３では、第２画像表示制御部１３３が、行われたタッチ操作は第１の分割表示機能によって画像が表示されている矩形の領域における第２の辺部以外の辺部に対する長押しタッチ操作であるか否かを判断する。第１の分割表示機能によって画像が表示されている矩形の領域における第２の辺部以外の辺部に対する長押しタッチ操作である場合にはステップＢ４へ進み、それ以外の場合には処理を終了する。ステップＢ４では、第２画像表示制御部１３３が、第１の分割表示機能によって矩形の領域に表示させていた画像を消去し、第２の分割表示機能によって、その矩形の領域における、第２の辺部側および長押しタッチ操作が行われた辺部側に画像を表示させ、その後、処理を終了する。
【００６７】
図１０に示すように、第２画像表示制御部１３３の第２の分割表示機能のみによって画像が表示されている場合に表示画面１１１に対するタッチ操作が行われると、ステップＣ１において、第２画像表示制御部１３３が、行われたタッチ操作は第２分割表示機能によって画像が表示されている矩形の領域における画像が表示されていない側の辺部に対する長押しタッチ操作であるか否かを判断する。第２分割表示機能によって画像が表示されている矩形の領域における画像が表示されていない側の辺部に対する長押しタッチ操作である場合にはステップＣ２へ進み、それ以外の場合にはステップＣ３へ進む。ステップＣ２では、第２画像表示制御部１３３が、第２の分割表示機能によって、長押しタッチ操作が行われた辺部側に画像を追加表示させ、その後、処理を終了する。
【００６８】
ステップＣ３では、第２画像表示制御部１３３が、行われたタッチ操作は第２の分割表示機能によって画像が表示されている矩形の領域における画像が表示されている側の辺部に対する長押しタッチ操作であるか否かを判断する。第２の分割表示機能によって画像が表示されている矩形の領域における画像が表示されている側の辺部に対する長押しタッチ操作である場合にはステップＣ４へ進み、それ以外の場合には処理を終了する。ステップＣ４では、第２画像表示制御部１３３が、長押しタッチ操作が行われた辺部側に第２の分割表示機能によって表示されている画像を消去させ、その後、処理を終了する。
【００６９】
図１１に示すように、第２画像表示制御部１３３の第１の分割表示機能および第２の分割表示機能によって画像が表示されている場合に表示画面１１１に対するタッチ操作が行われると、ステップＤ１において、第２画像表示制御部１３３が、行われたタッチ操作は第１の分割表示機能によって画像が表示されている矩形の領域における第２の辺部以外の辺部に対する長押しタッチ操作であるか否かを判断する。第１の分割表示機能によって画像が表示されている矩形の領域における第２の辺部以外の辺部に対する長押しタッチ操作である場合にはステップＤ２へ進み、それ以外の場合にはステップＤ３へ進む。ステップＤ２では、第２画像表示制御部１３３が、第１の分割表示機能によって矩形の領域に表示させていた画像を消去し、第２の分割表示機能によって、その矩形の領域における、第２の辺部側および長押しタッチ操作が行われた辺部側に画像を表示させ、その後、処理を終了する。
【００７０】
ステップＤ３では、第２画像表示制御部１３３が、行われたタッチ操作は第２分割表示機能によって画像が表示されている矩形の領域における画像が表示されていない側の辺部に対する長押しタッチ操作であるか否かを判断する。第２分割表示機能によって画像が表示されている矩形の領域における画像が表示されていない側の辺部に対する長押しタッチ操作である場合にはステップＤ４へ進み、それ以外の場合にはステップＤ５へ進む。ステップＤ４では、第２画像表示制御部１３３が、第２の分割表示機能によって、長押しタッチ操作が行われた辺部側に画像を追加表示させ、その後、処理を終了する。
【００７１】
ステップＤ５では、第２画像表示制御部１３３が、行われたタッチ操作は第２の分割表示機能によって画像が表示されている矩形の領域における画像が表示されている側の辺部に対する長押しタッチ操作であるか否かを判断する。第２の分割表示機能によって画像が表示されている矩形の領域における画像が表示されている側の辺部に対する長押しタッチ操作である場合にはステップＤ６へ進み、それ以外の場合には処理を終了する。ステップＤ６では、第２画像表示制御部１３３が、長押しタッチ操作が行われた辺部側に第２の分割表示機能によって表示されている画像を消去させ、その後、処理を終了する。
【００７２】
以上のような表示システム１によれば、第２画像表示制御部１３３による第１の分割表示機能によって、スライド操作の始点および終点に基づく仮想的な直線により表示画面１１１が２分割されるので、表示画面１１１の端から端までスライド操作を行わなくても、表示画面１１１を任意かつ容易に分割することができる。そして、第２画像表示制御部１３３によって、任意に分割された表示画面１１１のそれぞれに画像を表示することができる。
【００７３】
また、表示システム１によれば、第２画像表示制御部１３３による第１の分割表示機能によって、スライド操作の始点および終点に基づく仮想的な直線と矩形状の表示画面１１１の対角線との交点から、２分割される表示画面１１１のそれぞれに表示される画像の大きさが決定されるので、スライド操作によって各画像の大きさを決定することができる。また、このように交点を用いて各画像の大きさを決定することで、第１画像表示制御部１３１によって表示画面１１１に表示されていた元の画像と相似形の画像を、第１の分割表示機能によって容易に表示することができる。
【００７４】
また、表示システム１によれば、第１の分割表示機能によって表示画面１１１に表示されている画像の端部に対するタッチ操作を行うことで、表示画面１１１が分割されている状態を解除し、第１画像表示制御部１３１によって画像を表示することができる。
【００７５】
また、表示システム１によれば、第２画像表示制御部１３３の第１の分割表示機能によって矩形の領域に画像が表示されている状態において、その矩形の領域の辺部に対する長押しタッチ操作を行うことで、第２画像表示制御部１３３の第２の分割表示機能によって、その画像を消去し、その画像が表示されていた矩形の領域を分割し、分割された領域のそれぞれに画像を表示することができる。したがって、第１の分割表示機能と第２の分割表示機能とを組み合わせることで、様々な態様で画像を表示することができる。
【００７６】
また、表示システム１によれば、長押しタッチ操作に基づく第２画像表示制御部１３３の制御による第２の分割表示機能によって、第１の分割表示機能によって画像が表示されていた矩形の領域における、第２の辺部側および第２の辺部以外のいずれか１つの辺部側に、それぞれ画像が表示されるので、第２の辺部側および第２の辺部以外のいずれか１つの辺部側にそれぞれユーザが着席する場合に、すべてのユーザにとって見易いように表示画面１１１に画像を表示することができる。
【００７７】
また、表示システム１によれば、長押しタッチ操作に基づく第２画像表示制御部１３３の制御による第２の分割表示機能によって、第２の分割表示機能によって画像が表示されている矩形の領域における画像が表示されていない側の辺部側に画像を追加表示させることができるので、画像が表示されていない側の辺部側に新たに着席したユーザにとって見易いように表示画面１１１に画像を表示することができる。
【００７８】
また、表示システム１によれば、第２の分割表示機能によって画像が表示されている矩形の領域における画像が表示されている側の辺部側に着席していたユーザが退席した場合に、長押しタッチ操作に基づく第２画像表示制御部１３３の制御によって、その辺部側に表示されていた画像を消去することができる。
【００７９】
上記表示システム１の制御部１３に記憶される表示プログラムは、表示部およびタッチパネル部を備えるコンピュータを表示システム１として機能させるプログラムである。この表示プログラムは、従来公知の、コンピュータ読み取り可能な記録媒体に記録できる。
【００８０】
上記表示プログラムを記録媒体に記録することで、表示プログラムに基づく処理を実行するためのプログラムコード（実行形式プログラム、中間コードプログラム、ソースプログラムなど）を記録した記録媒体を持ち運び自在に提供することができる。
【００８１】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【００８２】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００８３】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc - Read Only Memory）、ＭＯ（Magneto Optical disc）、ＭＤ（Mini Disc）、ＤＶＤ（Digital Versatile Disc）などの光ディスクのディスク系、ＩＣカード（メモリカードを含む）、光カードなどのカード系、あるいはマスクＲＯＭ、ＥＰＲＯＭ（Erasable Programmable Read Only Memory）、ＥＥＰＲＯＭ（登録商標）、フラッシュＲＯＭなどによる半導体メモリを含めた固定的にプログラムコードを担持する媒体であってもよい。
【００８４】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【００８５】
１  表示システム
１１  表示部
１２  タッチパネル部
１３  制御部
１１１  表示画面
１３１  第１画像表示制御部
１３２  画像消去制御部
１３３  第２画像表示制御部
【図１】
0005961435.tif 000002
【図２】
0005961435.tif 000003
【図９】
0005961435.tif 000004
【図１０】
0005961435.tif 000005
【図１１】
0005961435.tif 000006
【図３】
0005961435.tif 000007
【図４】
0005961435.tif 000008
【図５】
0005961435.tif 000009
【図６】
0005961435.tif 000010
【図７】
0005961435.tif 000011
【図８】
0005961435.tif 000012